(57)【要約】【課題】  ＰＴＴボタンを押しつづけることなく、ＰＴＴ機能で会話を開始することが可能な携帯端末装置を提供する。【解決手段】  携帯端末装置Ａ１はＰＴＴボタン１５を使用しなくても、マイク１３から音声が入力されたことを制御回路部１２が認識した場合、ＰＴＴボタン１５が押された時と同様に、会話権限獲得要求をＰＴＴサーバ４に送信して会話を行う権限を獲得する処理を行う。携帯端末装置Ａ１は制御回路部１２がマイク１３から一定時間音声が入力されなかった場合、ＰＴＴボタン１５が離された時と同様に、会話権限解放要求をＰＴＴサーバ４に送信して会話を行う権限を解放する処理を行う。【選択図】      図１
2006101048.tif 000002
【特許請求の範囲】
【請求項１】
複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムであって、
前記ＰＴＴ機能を利用して前記会話を行う際の音声入力を検出する検出手段と、前記検出手段が前記音声入力を検出した時に前記ＰＴＴサーバに対して前記権限の獲得を要求する手段とを前記携帯端末装置に有することを特徴とするＰＴＴ通信システム。
【請求項２】
前記検出手段は、前記音声入力が予め登録された音声の入力であるかを検出することを特徴とする請求項１記載のＰＴＴ通信システム。
【請求項３】
前記音声入力が予め設定された所定期間検出されない時に前記ＰＴＴサーバに対して前記権限の解放を要求する手段を前記携帯端末装置に含むことを特徴とする請求項１または請求項２記載のＰＴＴ通信システム。
【請求項４】
ＰＴＴ（Ｐｕｓｈ  Ｔｏ  Ｔａｌｋ）機能を利用して他装置との間で会話を行う際に前記会話を開始する権限の獲得をＰＴＴサーバに対して要求する携帯端末装置であって、
前記ＰＴＴ機能を利用して前記会話を行う際の音声入力を検出する検出手段と、前記検出手段が前記音声入力を検出した時に前記ＰＴＴサーバに対して前記権限の獲得を要求する手段とを有することを特徴とする携帯端末装置。
【請求項５】
前記検出手段は、前記音声入力が予め登録された音声の入力であるかを検出することを特徴とする請求項４記載の携帯端末装置。
【請求項６】
前記音声入力が予め設定された所定期間検出されない時に前記ＰＴＴサーバに対して前記権限の解放を要求する手段を含むことを特徴とする請求項４または請求項５記載の携帯端末装置。
【請求項７】
複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムに用いられる会話開始方法であって、前記携帯端末装置側に、前記ＰＴＴ機能を利用して前記会話を行う際の音声入力を検出する第１のステップと、前記音声入力が検出された時に前記ＰＴＴサーバに対して前記権限の獲得を要求する第２のステップとを有することを特徴とする会話開始方法。
【請求項８】
前記第１のステップは、前記音声入力が予め登録された音声の入力であるかを検出することを特徴とする請求項７記載の会話開始方法。
【請求項９】
前記携帯端末装置側に、前記音声入力が予め設定された所定期間検出されない時に前記ＰＴＴサーバに対して前記権限の解放を要求する第３のステップを含むことを特徴とする請求項７または請求項８記載の会話開始方法。
【請求項１０】
複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムに用いられる会話開始方法のプログラムであって、前記携帯端末装置側のコンピュータに、前記ＰＴＴ機能を利用して前記会話を行う際の音声入力を検出する処理と、前記音声入力が検出された時に前記ＰＴＴサーバに対して前記権限の獲得を要求する処理とを実行させるためのプログラム。
【発明の詳細な説明】
【技術分野】
【０００１】
本発明はＰＴＴ通信システム、携帯端末装置及びそれらに用いる会話開始方法並びにそのプログラムに関し、特にＰＴＴ（Ｐｕｓｈ  Ｔｏ  Ｔａｌｋ）機能を実装した携帯電話機等の携帯端末装置による会話開始方法に関する。
【背景技術】
【０００２】
近年、ＰＴＴ機能を実装した携帯電話機が普及し始めているが、従来のＰＴＴ機能を利用する携帯端末装置では、会話を開始するためにＰＴＴボタンを押し、会話中、ずっとＰＴＴボタンを押しつづけていなければならない。
【０００３】
ここで、ＰＴＴはＩＰ（Ｉｎｔｅｒｎｅｔ  Ｐｒｏｔｏｃｏｌ）を利用したウォーキー・トーキーのようなもので、通話は一方通行となる。また、ＰＴＴはＩＭ（Ｉｎｓｔａｎｔ  Ｍｅｓｓａｇｉｎｇ）のように、話す相手をグループ化することができ、相手の状態を見ることができる。
【０００４】
したがって、ＰＴＴでは通話状態にある相手（一人、複数のユーザまたはグループ）を選択してＰＴＴボタンを押すことで通話可能となる。つまり、ＰＴＴは携帯電話機のトランシーバモードであり、通話先の番号をダイヤルする必要がなく、接続までの時間は短く、複数カ所と同時に通話することができる。
【０００５】
ＰＴＴにおいては、通常の通話よりも割安な料金に設定されることが多い。また、その操作手順としては、通常の電話帳とは別に用意された通話先リストを開き、相手を選択して決定し、ＰＴＴボタンを押すことで通話することとなる。その際、複数の通話先を選択しておけば、多地点通話となる（例えば、特許文献１参照）。
【０００６】
但し、現在のＰＴＴでは、通話先が同じキャリアの端末に限られている。しかしながら、この分野の技術の進展に伴って、異なるキャリア間での多地点通話も考慮されつつある。
【０００７】
従来の携帯端末装置では、ＰＴＴ機能を利用して会話を行う場合、図６に示すように、携帯端末装置Ａが携帯端末装置Ｂ，Ｃと会話を開始する際、携帯端末装置ＡにてＰＴＴボタンを押すことによって（図６のｂ１）、会話権限獲得要求をＰＴＴサーバに送信する（図６のｂ２）。ＰＴＴサーバは他の携帯端末装置が会話権限を獲得していない場合、携帯端末装置Ａに会話権限許可通知を送信し（図６のｂ３）、携帯端末装置Ｂ，Ｃに対してそれぞれ会話権限取得通知を送信する（図６のｂ４，ｂ５）。
【０００８】
携帯端末装置ＡはＰＴＴサーバから会話権限許可通知を受信すると、会話を開始することが可能となる。携帯端末装置Ｂ，Ｃは会話権限取得通知を受信することによって、携帯端末装置Ａが会話権限を獲得したことを認識する。携帯端末装置Ａは会話権限許可通知を受信した後、会話を開始することができるため、会話を実行することによって（図６のｂ６）、マイクから音声が入力され、制御回路部で任意の音声コーデックでデータに変換する。制御回路部で変換された音声データは無線通信部からネットワークを経由してＰＴＴサーバに送信される（図６のｂ７）。
【０００９】
ＰＴＴサーバは携帯端末装置Ａから音声データを受信した場合、携帯端末装置Ｂに音声データを送信し（図６のｂ８）、次に携帯端末装置Ｃに音声データを送信する（図６のｂ９）。これによって、携帯端末装置Ｂ，Ｃは携帯端末装置Ａからの音声データを聞くことができる。携帯端末装置Ａが引き続き会話を継続している場合、上記のｂ７〜ｂ９の処理が繰り返される。
【００１０】
携帯端末装置Ａが会話を終了する場合、ＰＴＴボタンを離すことによって（図６のｂ１０）、会話権限解放要求がＰＴＴサーバに送信されるので（図６のｂ１１）、ＰＴＴサーバは会話権限解放要求を受信すると、携帯端末装置Ａに会話権限解放通知を送信し（図６のｂ１２）、引き続き携帯端末装置Ｂ，Ｃに対してそれぞれ会話権限解放通知を送信する（図６のｂ１３，ｂ１４）。携帯端末装置Ａ〜Ｃとも会話権限解放通知を受信すると、それぞれＰＴＴボタンを押すことで会話を開始することが可能となる。
【００１１】
【特許文献１】特表２００３−５２６２７５号公報
【発明の開示】
【発明が解決しようとする課題】
【００１２】
従来の携帯端末装置では、ＰＴＴ機能を利用する場合、ＰＴＴボタンを押さなければ会話を開始することができない。通常、携帯電話機等の携帯端末装置で電話によって会話を行う場合、１対１の両方向通話であり、通話中は常に会話可能な状態になっている。
【００１３】
３者通話機能を利用した場合でも両方向通話であり、参加しているユーザは常に会話可能な状態になっている。しかしながら、ＰＴＴ機能は１対多の片方向通話であり、ＰＴＴボタンを押ししているユーザのみが会話を行う権利を持ち、会話を行う権限がないユーザは会話を行う権限を持つユーザの会話を聞くだけなので、通話を開始するためにはＰＴＴボタンを押して会話を行う権限を取得する必要がある。
【００１４】
また、ＰＴＴ機能のメリットは会話を行いたい時にＰＴＴボタンを押すだけで簡単に会話を開始することであるため、相手が常に応答可能な状態であるとは限らない。つまり、ＰＴＴ機能を利用しているユーザが常に携帯端末装置を手に持っていて応答可能であるとは限らない。例えば、このような場合としては、ヘッドセット機器や車戴のハンズフリー機器を利用する等の状況が考えられる。
【００１５】
このような状況の場合、相手からＰＴＴ機能を利用して会話が開始された場合、その会話に応答したくても、運転中または他の作業中のためにＰＴＴボタンを押せない状況になっている場合が考えられるため、ＰＴＴボタンを押さなければ会話できないというＰＴＴ機能には問題がある。
【００１６】
上述したように、従来の携帯端末装置では、ＰＴＴ機能が１対多接続の片方向通話のため、通常、会話できる状態になっておらず、単に他のユーザの会話を聞くだけの場合もある。相手からの会話に対して、自動車を運転中や作業を行っていて両手がふさがっていてＰＴＴボタンを押すことができない場合に、即座に応答することができないという問題がある。
【００１７】
また、ＰＴＴ機能は、手袋等をした作業中に利用できる必要性もあることから、ＰＴＴボタンを携帯端末装置に実装する場合、通常より大きめな押しやすいボタンを実装する必要がある。近年、携帯端末装置は小型化を図る傾向にあるが、ＰＴＴ機能を容易に利用することができるように、大きなボタンを実装するということは構造上の問題があり、大きめなボタンを実装しなくてもよい方法を検討する必要がある。
【００１８】
そこで、本発明の目的は上記の問題点を解消し、ＰＴＴボタンを押しつづけることなく、ＰＴＴ機能で会話を開始することができるＰＴＴ通信システム、携帯端末装置及びそれらに用いる会話開始方法並びにそのプログラムを提供することにある。
【課題を解決するための手段】
【００１９】
本発明によるＰＴＴ通信システムは、複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムであって、
前記ＰＴＴ機能を利用して前記会話を行う際の音声入力を検出する検出手段と、前記検出手段が前記音声入力を検出した時に前記ＰＴＴサーバに対して前記権限の獲得を要求する手段とを前記携帯端末装置に備えている。
【００２０】
本発明による携帯端末装置は、ＰＴＴ（Ｐｕｓｈ  Ｔｏ  Ｔａｌｋ）機能を利用して他装置との間で会話を行う際に前記会話を開始する権限の獲得をＰＴＴサーバに対して要求する携帯端末装置であって、
前記ＰＴＴ機能を利用して前記会話を行う際の音声入力を検出する検出手段と、前記検出手段が前記音声入力を検出した時に前記ＰＴＴサーバに対して前記権限の獲得を要求する手段とを備えている。
【００２１】
本発明による会話開始方法は、複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムに用いられる会話開始方法であって、前記携帯端末装置側に、前記ＰＴＴ機能を利用して前記会話を行う際の音声入力を検出する第１のステップと、前記音声入力が検出された時に前記ＰＴＴサーバに対して前記権限の獲得を要求する第２のステップとを備えている。
【００２２】
本発明による会話開始方法のプログラムは、複数の携帯端末装置間でＰＴＴ（Ｐｕｓｈ  Ｔｏ  Ｔａｌｋ）機能を利用して会話を行う際に前記会話を開始する権限の獲得を前記携帯端末装置からＰＴＴサーバに対して要求するＰＴＴ通信システムに用いられる会話開始方法のプログラムであって、前記携帯端末装置側のコンピュータに、前記ＰＴＴ機能を利用して前記会話を行う際の音声入力を検出する処理と、前記音声入力が検出された時に前記ＰＴＴサーバに対して前記権限の獲得を要求する処理とを実行させている。
【００２３】
すなわち、本発明の携帯端末装置は、ＰＴＴ（Ｐｕｓｈ  Ｔｏ  Ｔａｌｋ）機能を利用する場合において、ＰＴＴボタンを押さなくても、音声をトリガに会話を開始可能とすることを特徴とする。
【００２４】
より具体的に説明すると、従来の携帯端末装置では、携帯端末装置ＡからＰＴＴ機能を利用したい場合、ＰＴＴボタンを押してＰＴＴサーバに対して会話を開始する権限を獲得するように要求を行う必要がある。
【００２５】
これに対し、本発明の携帯端末装置では、ＰＴＴによって会話を行っている状況において、マイクから音声が入力されたことを制御回路が認識した場合、ＰＴＴボタンが押された時と同様に、ＰＴＴサーバに対して会話を開始する権限を獲得するように要求を行っている。よって、本発明の携帯端末装置では、ＰＴＴボタンを押さなくても、マイクから音声を入力するだけで、自動的にＰＴＴ機能を利用した会話を開始することが可能となる。
【００２６】
また、従来の携帯端末装置では、ＰＴＴボタンを離すことによって、会話を行う権限を解放するようにＰＴＴサーバに要求を行っている。これに対し、本発明の携帯端末装置では、一定期間無音の時間が発生した場合に自動的にＰＴＴサーバに会話を行う権限を解放するように要求を行う。
【００２７】
従来の携帯端末装置では、携帯端末装置でＰＴＴボタンを押して会話を行う権限を持っている間、携帯端末装置にて会話が行われていなくても、他の携帯端末装置から会話を行うことができない。これに対し、本発明の携帯端末装置では、会話を終了すると、自動的に会話を行う権限が解放されるため、たの携帯端末装置からスムーズに会話を開始することが可能となる。
【００２８】
上記のように、本発明の携帯端末装置では、音声入力をトリガにして、会話権限が獲得可能となるため、ＰＴＴ機能で会話を開始する時にＰＴＴボタンを押さなくてもよい。よって、本発明の携帯端末装置では、ＰＴＴボタンを押さなくてもよいため、自動車を運転中や両手がふさがっていてＰＴＴボタンを押せない状態の時に相手からＰＴＴ機能を利用して会話があった場合、携帯端末装置から会話を行うだけで、相手からの会話に応答することが可能となる。
【００２９】
また、本発明の携帯端末装置では、音声入力をトリガに会話を開始し、音声入力がなくなるまで、会話権限を保持しているため、会話をしている間、ＰＴＴボタンを押しつづけなくてもよい。
【００３０】
さらに、本発明の携帯端末装置では、一定期間音声入力がない場合、自動的に会話権限を解放するため、従来の携帯端末装置のように、あるユーザがＰＴＴボタンを押しつづけていているために、他のユーザが会話をすることができないという問題がなくなる。よって、本発明の携帯端末装置では、会話をしている間だけ、会話権限が保持されるため、会話権限を他のユーザがスムーズに獲得することが可能となる。
【発明の効果】
【００３１】
本発明は、以下に述べるような構成及び動作とすることで、ＰＴＴボタンを押しつづけることなく、ＰＴＴ機能で会話を開始することができるという効果が得られる。
【発明を実施するための最良の形態】
【００３２】
次に、本発明の実施例について図面を参照して説明する。図１は本発明の一実施例によるＰＴＴ（Ｐｕｓｈ  Ｔｏ  Ｔａｌｋ）通信システムの構成を示すブロック図である。図１において、本発明の一実施例によるＰＴＴ通信システムは携帯端末装置Ａ１と携帯端末装置Ｂ２と携帯端末装置Ｃ３とＰＴＴサーバ４とがネッワーク１００に接続されて構成されている。
【００３３】
ここで、ＰＴＴはＩＰ（Ｉｎｔｅｒｎｅｔ  Ｐｒｏｔｏｃｏｌ）を利用したウォーキー・トーキーのようなもので、通話は一方通行となる。また、ＰＴＴはＩＭ（Ｉｎｓｔａｎｔ  Ｍｅｓｓａｇｉｎｇ）のように、話す相手をグループ化することができ、相手の状態を見ることができる。したがって、ＰＴＴでは通話状態にある相手（一人、複数のユーザまたはグループ）を選択して通話ボタンを押すことで通話可能となる。つまり、ＰＴＴは携帯電話のトランシーバモードであり、通話先の番号をダイヤルする必要がなく、接続までの時間は短く、複数カ所と同時に通話することができる。
【００３４】
ＰＴＴにおいては、通常の通話よりも割安な料金に設定されることが多い。また、その操作手順としては、通常の電話帳とは別に用意された通話先リストを開き、相手を選択して決定し、通話ボタンを押すことで通話することとなる。その際、複数の通話先を選択しておけば、多地点通話となる。但し、現在のＰＴＴでは、通話先が同じキャリアの端末に限られている。しかしながら、この分野の技術の進展に伴って、異なるキャリア間での多地点通話も考慮されつつあるので、本実施例でも通話先が同じキャリアの端末に限定されないものとする。
【００３５】
携帯端末装置Ａ１は携帯電話機として網側のネットワーク１００の通信を行うための無線通信部１１と、携帯電話機としての機能を制御するための制御回路部１２と、ユーザが話した音声を入力するためのマイク１３と、他のユーザが話した音声を出力するためのスピーカ１４と、ＰＴＴ機能で会話を行う権限を要求／解放するためのＰＴＴボタン１５と、制御回路部１２が実行するプログラムを格納する記録媒体１６とから構成されている。
【００３６】
但し、本実施例では、ＰＴＴボタン１５を使用しなくても、マイク１３から音声が入力されたことを制御回路部１２が認識した場合、ＰＴＴボタン１５が押された時と同様に、会話を行う権限を獲得する処理を行い、制御回路部１２がマイク１３から一定時間音声が入力されなかった場合、ＰＴＴボタン１５が離された時と同様に、会話を行う権限を解放する処理を行うようにしている。このため、ＰＴＴボタン１５は必ずしも必須ではない。また、携帯端末装置Ａ１は無線通信部１１からネットワーク１００を経由してＰＴＴサーバ４と通信を行うことが可能である。
【００３７】
一方、携帯端末装置Ｂ２及び携帯端末装置Ｃ３は、上記の携帯端末装置Ａ１と同様に、ネットワーク１００を経由してＰＴＴサーバ４と通信を行うことが可能である。但し、携帯端末装置Ｂ２及び携帯端末装置Ｃ３は、上記の携帯端末装置Ａ１と同様に、ＰＴＴ機能を含んでいれば、上記の携帯端末装置Ａ１と同様の構成であっても、また異なる構成であってもよく、これに限定されない。
【００３８】
ＰＴＴ機能は１対多の片方向通話であり、ユーザＡがユーザＢ及びユーザＣに対して会話を送信する場合、ユーザＡが携帯端末装置Ａ１からＰＴＴサーバ４に音声データが送信され、ＰＴＴサーバ４からそれぞれ携帯端末装置Ｂ２と携帯端末装置Ｃ３とに音声データが送信される。
【００３９】
図１ではＰＴＴ機能として携帯端末装置Ａ１、携帯端末装置Ｂ２、携帯端末装置Ｃ３が予めグループとして登録されているものとする。本実施例ではＰＴＴ機能の携帯端末装置Ａ１、携帯端末装置Ｂ２、携帯端末装置Ｃ３のグループ登録方法に関しては特に定義しない。
【００４０】
また、本実施例では、携帯端末装置Ａ１と携帯端末装置Ｂ２と携帯端末装置Ｃ３とネットワーク１００との接続は携帯電話網のネットワークであっても構わないし、無線ＬＡＮ（Ｌｏｃａｌ  Ａｒｅａ  Ｎｅｔｗｏｒｋ）や有線ケーブルを利用したネットワークでも構わない。さらに、ＰＴＴサーバ４はＳＩＰ（Ｓｅｓｓｉｏｎ  Ｉｎｉｔｉａｔｉｏｎ  Ｐｒｏｔｏｃｏｌ）サーバやプレゼンスサーバを含むＰＴＴサーバであっても構わないが、本実施例では特にサーバの構成の詳細については定義しない。
【００４１】
図２は図１の携帯端末装置Ａ１の動作を示すフローチャートであり、図３は本発明の一実施例によるＰＴＴ通信システムの動作を示すシーケンスチャートである。これら図１〜図３を参照して本発明の一実施例によるＰＴＴ通信システムの動作について説明する。尚、図２に示す処理は携帯端末装置Ａ１において制御回路部１２が記録媒体１６のプログラムを実行することで実現される。
【００４２】
携帯端末装置Ａ１がＰＴＴ機能を利用して携帯端末装置Ｂ２及び携帯端末装置Ｃ３と会話を開始する場合、携帯端末装置Ａ１にてマイク１３から音声が入力されて会話が開始されると（図２ステップＳ１，Ｓ２，Ｓ４、図３のａ１）、制御回路部１２はまだ会話権限が許可されていないので、会話権限獲得要求をＰＴＴサーバ４に送信する（図２ステップＳ６，Ｓ７、図３のａ２）。
【００４３】
ＰＴＴサーバ４は、上述した従来の会話開始方法の処理ｂ３〜ｂ５と同様に、携帯端末装置Ａ１には会話権限許可通知を送信し（図３のａ３）、携帯端末装置Ｂ２及び携帯端末装置Ｃ３には会話権限取得通知を送信する（図３のａ４，ａ５）。
【００４４】
携帯端末装置Ａ１はＰＴＴサーバ４から会話権限許可通知を受信すると（図２ステップＳ８）、マイク１３から入力された音声を任意の音声コーデックで音声データに変換してＰＴＴサーバ４に送信する（図２ステップＳ９，Ｓ１０、図３のａ６）。
【００４５】
通話開始（図３のａ１）から会話権限許可通知（図３のａ３）の間でマイク１３から入力された音声は、事前に音声データに変換し、会話権限許可通知（図３のａ３）を受信した後に音声データとしてＰＴＴサーバ４に送信しても構わないし、会話権限許可通知（図３のａ３）を受信するまでの音声は破棄しても構わない。但し、会話権限許可通知（図３のａ３）を受信時に携帯端末装置Ａ１のスピーカ１４を利用してビープ音等を発生させ、携帯端末装置Ａが会話権限を許可されたことを認識できるようにする必要がある。
【００４６】
尚、携帯端末装置Ａ１は着呼または発呼の場合（図２スップＳ１）、ＰＴＴ機能を利用しないのであれば（図２スップＳ２）、そのまま通常の通話処理を行う（図２スップＳ３）。また、携帯端末装置Ａ１はＰＴＴ機能を利用する場合でも（図２スップＳ２）、音声入力がなければ（図２スップＳ４）、ＰＴＴ機能を利用した音声データ処理を実行する（図２スップＳ５）。
【００４７】
ＰＴＴサーバ４は、上述した従来の会話開始方法の処理ｂ８，ｂ９と同様に、携帯端末装置Ａ１から受信した音声データを携帯端末装置Ｂ２及び携帯端末装置Ｃ３に送信する（図３のａ７，ａ８）。携帯端末装置Ａ１で引き続き会話が継続されている場合、上述した処理ａ６〜ａ８を繰り返す。
【００４８】
携帯端末装置Ａ１の制御回路部１２がマイク１３から一定期間音声の入力がないことを認識した場合（図２ステップＳ９，Ｓ１１、図３のａ９）、会話権限を解放するために、ＰＴＴサーバ４に対して会話権限解放要求を送信する（図２ステップＳ１２、図３のａ１０）。制御回路部１２が会話権限を解放するために判定する音声入力がない時間は、携帯端末装置Ａ１で設定できるようにしても構わないし、ＰＴＴサーバ４で設定し、携帯端末装置Ａ１がＰＴＴサーバ４で設定された値を獲得して利用しても構わない。
【００４９】
ＰＴＴサーバ４は、上述した従来の会話開始方法の処理ｂ１２〜ｂ１４と同様に、携帯端末装置Ａ１、携帯端末装置Ｂ２、携帯端末装置Ｃ３に会話権限解放通知を送信する（図３のａ１１〜ａ１３）。携帯端末装置Ａ１、携帯端末装置Ｂ２、携帯端末装置Ｃ３ともに会話権限解放通知（図３のａ１１〜ａ１３）を受信した後は、会話権限を取得して会話を開始することが可能となる。
【００５０】
このように、本実施例では、音声入力をトリガにして会話権限を獲得することができるため、ＰＴＴ機能で会話を開始する時にＰＴＴボタン１５を押さなくてもよい。ＰＴＴボタン１５を押さなくてもよいため、自動車を運転中や両手がふさがっていてＰＴＴボタン１５を押せない状態の時に相手からＰＴＴ機能を利用して会話があった場合、ユーザは会話を行うだけで、相手に対して応答することができる。
【００５１】
また、本実施例では、音声入力をトリガに会話を開始し、音声入力がなくなるまで、会話権限を保持しているため、会話をしている間、ＰＴＴボタン１５を押しつづけなくてもよい。
【００５２】
さらに、本実施例では、一定期間音声入力がない場合、自動的に会話権限を解放するため、従来の会話開始方法のように、あるユーザがＰＴＴボタンを押しつづけていていたために他のユーザが会話をすることができないという問題がなくなる。会話をしている間だけ、会話権限が保持されるため、会話権限を他のユーザがスムーズに獲得することが可能となる。
【００５３】
図４は本発明の他の実施例によるＰＴＴ通信システムの構成を示すブロック図である。図４において、本発明の他の実施例によるＰＴＴ通信システムは、制御回路部１２の代わりに音声認識部５２を持つ制御回路部５１を設けた以外は図１に示す本発明の一実施例によるＰＴＴ通信システムと同様の構成となっており、同一構成要素には同一符号を付してある。また、同一構成要素の動作は本発明の一実施例と同様である。
【００５４】
図５は図４の携帯端末装置Ａ５の動作を示すフローチャートである。これら図４及び図５を参照して本発明の他の実施例によるＰＴＴ通信システムの動作について説明する。尚、図５に示す処理は携帯端末装置Ａ５において制御回路部５１が記録媒体１６のプログラムを実行することで実現される。また、図５に示す処理はステップＳ２６，Ｓ２７を追加した以外は図３に示す処理と同様である。
【００５５】
本発明の一実施例では、音声の入力があった場合に会話権限の獲得処理を行っているが、携帯端末装置Ａ５の制御回路部５１に音声認識部５２を実装することによって、任意の音声の入力があった場合のみ、会話権限の獲得処理を行うことが可能である。携帯端末装置Ａ５とＰＴＴサーバ４とのインタフェースとしては、図３に示すシーケンスチャートと同様であるが、携帯端末装置Ａ５からＰＴＴサーバ４への会話権限獲得要求（図３のａ２）を送信するトリガが異なる。
【００５６】
制御回路部５１は音声認識部５２を持ち、会話権限獲得要求（図３のａ２）を送信するための音声を予め携帯端末装置Ａ５に登録しておく。例えば、「もしもし」という音声を会話権限獲得要求（図３のａ２）を送信する音声として登録しておく。
【００５７】
携帯端末装置Ａ５のマイク１３から音声が入力されても（図５ステップＳ２４）、制御回路部５１は事前に登録された音声「もしもし」でない場合（図５ステップＳ２６）、はその音声を破棄する（図５ステップＳ２７）。制御回路部５１はマイク１３から入力された音声が「もしもし」の場合、ＰＴＴサーバ４に対して会話権限獲得要求（図３のａ２）を送信し、会話権限の獲得を行う。会話権限獲得のトリガ以外の他の処理は、図３に示す処理と変わらない。
【００５８】
このように、本実施例では、携帯電話機を持っているだけで話をした時に勝手にＰＴＴ機能の会話権限獲得処理が動作してしまうことを防ぐことができる。会話権限獲得処理が勝手に動作してしまうことを防ぐ処理としては、一定の音量以上が入力されない場合、会話権限獲得処理を行わないという方法も考えられる。但し、この方法では、携帯端末装置にて小声で話した場合に会話権限獲得処理が開始されない可能性が考えられるし、騒音等のユーザが意図しない大きな音が発生した場合に自動的に会話権限獲得処理が実行されてしまう可能性があるため、音声認識機能を実装することが望ましい。
【産業上の利用可能性】
【００５９】
本発明は、携帯電話網のネットワーク、無線ＬＡＮや有線ケーブルを利用したネットワークに接続してＰＴＴ機能を利用可能な携帯電話機やＰＤＡ（Ｐｅｒｓｏｎａｌ  Ｄｉｇｉｔａｌ  Ａｓｓｉｓｔａｎｔ）等の携帯端末装置に適用可能である。
【図面の簡単な説明】
【００６０】
【図１】本発明の一実施例によるＰＴＴ通信システムの構成を示すブロック図である。
【図２】図１の携帯端末装置の動作を示すフローチャートである。
【図３】本発明の一実施例によるＰＴＴ通信システムの動作を示すシーケンスチャートである。
【図４】本発明の他の実施例によるＰＴＴ通信システムの構成を示すブロック図である。
【図５】図４の携帯端末装置の動作を示すフローチャートである。
【図６】従来例によるＰＴＴ通信システムの動作を示すシーケンスチャートである。
【符号の説明】
【００６１】
１，５  携帯端末装置Ａ
２  携帯端末装置Ｂ
３  携帯端末装置Ｃ
４  ＰＴＴサーバ
１１  無線通信部
１２，５１  制御回路部
１３  マイク
１４  スピーカ
１５  ＰＴＴボタン
１６  記録媒体
５２  音声認識部
１００  ネッワーク
【図１】
2006101048.tif 000003
【図２】
2006101048.tif 000004
【図３】
2006101048.tif 000005
【図４】
2006101048.tif 000006
【図５】
2006101048.tif 000007
【図６】
2006101048.tif 000008